(57)【特許請求の範囲】
【請求項１】
エアゾール容器の上端部に固定して使用する合成樹脂製のワンタッチキャップに於て、エアゾール容器のマウンテンカップの外周に固定する環状の固定枠を、ワンタッチキャップ本体の下端に突出形成し、この固定枠に肉薄のヒンジ部を形成するとともに固定枠に、割溝をヒンジ部まで形成した事を特徴とするエアゾール容器に固定するためのワンタッチキャップ。
【請求項２】
エアゾール容器の上端部に固定して使用する合成樹脂製の肩カバーに於て、エアゾール容器のマウンテンカップの外周に固定する環状の固定枠を、肩カバー本体の下端に突出形成し、この固定枠に肉薄のヒンジ部を形成するとともに固定枠に、割溝をヒンジ部まで形成した事を特徴とするエアゾール容器に固定するための肩カバー。
【請求項３】
ワンタッチキャップ本体は、エアゾール容器の肩部に下端を接触させる外周枠を天板の下面に突出するとともに外周枠よりも中央方向の天板の下面に固定枠を突出して成るものである事を特徴とする請求項１のエアゾール容器に固定するためのワンタッチキャップ。
【請求項４】
肩カバー本体は、エアゾール容器の肩部に下端を接触させる外周枠を天板の下面に突出するとともに外周枠よりも中央方向の天板の下面に固定枠を突出して成るものである事を特徴とする請求項２のエアゾール容器に固定するための肩カバー。
【請求項５】
ワンタッチキャップ本体は、外周枠を形成せず、固定枠を外周下端に突出したものである事を特徴とする請求項１のエアゾール容器に固定するためのワンタッチキャップ。
【請求項６】
肩カバー本体は、外周枠を形成せず、固定枠を外周下端に突出したものである事を特徴とする請求項２のエアゾール容器に固定するための肩カバー。
【請求項７】
割溝は、硬貨を挿入し得る幅にて形成したものである事を特徴とする請求項１のエアゾール容器に固定するためのワンタッチキャップ。
【請求項８】
割溝は、硬貨を挿入し得る幅にて形成したものである事を特徴とする請求項２のエアゾール容器に固定するための肩カバー。
【発明の詳細な説明】
【０００１】
【産業上の利用分野】
本発明は、噴射剤を用いて内容物を外部に噴射するエアゾール容器に固定するためのワンタッチキャップおよび肩カバーに係るものである。
【０００２】
【従来の技術】
従来、エアゾール容器の上端に固定して用いるワンタッチキャップや肩カバーが知られている。ワンタッチキャップは、押釦の外周を被覆するとともに上端面を押釦の上端と面一若しくは押釦の上端よりも上方に突出し、運搬、収納、使用時等に押釦に不用意な圧力が加えられて誤噴射を生じることが無いようにしている。また、ワンタッチキャップは、手指によっては容易に押釦の押圧が可能となるよう、指の挿入溝を上端や側面に形成してエアゾール内容物の噴射を迅速確実に行うことができるようにしている。
【０００３】
また、肩カバーは、エアゾール容器のバルブ機構と押釦が接続するマウンテンカップの外周を被覆し、押釦を上方に突出させている。この肩カバーは、ワンタッチキャップよりは簡易な機構で押釦の保護とエアゾール内容物の迅速確実な噴射を可能としている。
【０００４】
そして、上記のワンタッチキャップおよび肩カバーは、エアゾール容器の上端のマウテンカップに強固に固定され、容易に取り外しができないように構成している。また、このワンタッチキャップおよび肩カバーは従来合成樹脂により形成されている。
【０００５】
【発明が解決しようとする課題】
しかしながら、エアゾール容器は一般的に金属材により形成し、ワンタッチキャップや肩カバーは合成樹脂により形成されている。そして、エアゾール容器の内容物の使用完了後、エアゾール容器を金属素材として再利用する場合に於て、ワンタッチキャップや肩カバーが存在すると、合成樹脂にて形成したワンタッチキャップや肩カバーと金属製のエアゾール容器が混在するものとなり、再生利用上好ましくないものとなる。
【０００６】
そこで、ワンタッチキャップや肩カバーをエアゾール容器の再生利用時に取り外す事が考慮されるが、このワンタッチキャップや肩カバーは、従来エアゾール容器に強固に固定されているため、これを取り外すのは容易ではなく、人手等によっては殆ど不可能なものであった。そのため、エアゾール容器の再生利用に大きな支障を生じるものとなっている。
【０００７】
本発明は上述の如き、課題を解決するため、金属製のエアゾール容器に固定する合成樹脂製のワンタッチキャップや肩カバーを、エアゾール容器の内容物の使用完了時に於ては容易にこれを取り外し、金属材であるエアゾール容器と合成樹脂材であるワンタッチキャップや肩カバーとを簡易に分離可能にするものである。そして、エアゾール容器の内容物を使用している最中には、ワンタッチキャップや肩カバーは、容易にエアゾール容器から分離する事なく、確実にエアゾール容器に固定されている事を可能にするものである。
【０００８】
【課題を解決するための手段】
本発明は、上述の如き課題を解決するため、エアゾール容器の上端部に固定して使用する合成樹脂製のワンタッチキャップに於て、エアゾール容器のマウンテンカップの外周に固定する環状の固定枠を、ワンタッチキャップ本体の下端に突出形成し、この固定枠に肉薄のヒンジ部を形成するとともに固定枠に、割溝をヒンジ部まで形成して成るものである。
【０００９】
また、第２の発明はエアゾール容器の上端部に固定して使用する合成樹脂製の肩カバーに於て、エアゾール容器のマウンテンカップの外周に固定する環状の固定枠を、肩カバー本体の下端に突出形成し、この固定枠に肉薄のヒンジ部を形成するとともに固定枠に、割溝をヒンジ部まで形成して成るものである。
【００１０】
また、ワンタッチキャップ本体は、エアゾール容器の肩部に下端を接触させる外周枠を天板の下面に突出するとともに外周枠よりも中央方向の天板の下面に固定枠を突出して成るものであっても良い。
【００１１】
また、肩カバー本体は、エアゾール容器の肩部に下端を接触させる外周枠を天板の下面に突出するとともに外周枠よりも中央方向の天板の下面に固定枠を突出して成るものであっても良い。
【００１２】
また、ワンタッチキャップ本体は、外周枠を形成せず、固定枠を外周下端に突出したものであっても良い。
【００１３】
また、肩カバー本体は、外周枠を形成せず、固定枠を外周下端に突出したものであっても良い。
【００１４】
また、割溝は、硬貨を挿入し得る幅にて形成したものであっても良い。
【００１５】
【作用】
本発明は、上述の如く構成したものであるから、ワンタッチキャップや肩カバーをエアゾール容器に嵌合固定しようとする場合には、固定枠をマウンテンカップの上部に配置して、ワンタッチキャップや肩カバーの上部から強くエアゾール容器に押し付ける。この押し付けによって、固定枠はエアゾール容器のマウンテンカップの外周にムリバメ固定される。そして、マウンテンカップの下端縁によって、内周面を係合固定し、エアゾール容器から容易に外れる事のないよう、ワンタッチキャップや肩カバーを固定する事ができる。
【００１６】
また、エアゾール容器内部の内容物を使用し、エアゾール容器の廃棄が必要となった場合は、固定枠に形成した割溝に１０円玉、若しくは適宜の金属材等で構成した丈夫な平板、マイナスドライバー等の拡開体を割溝内に挿入する。この割溝内に拡開体を挿入した状態に於て、拡開体を割溝の間隔が拡大する方向に、ひねってこじる作業を行う。この拡開体のひねりにより、割溝は拡張され、割溝内に形成されている肉薄のヒンジ部を切断する。
【００１７】
この肉薄のヒンジ部の切断により、固定枠は外部方向に拡開する事が可能となるから、ワンタッチキャップや肩カバーをエアゾール容器のマウンテンカップから、容易に取り外す事が可能となる。そして、エアゾール容器から押釦を取り外した後、金属材であるエアゾール容器を再生利用し、金属材として用いる事ができる。また、ワンタッチキャップは樹脂材として分離して再生使用する事が可能となるものである。
【００１８】
【実施例】
以下、本発明の一実施例を肩カバーに用いた場合を図１、図２に於て説明すれば、（１）はエアゾール容器で、上端にマウンテンカップ（２）をカシメ固定し、このマウテンカップ（２）の中央部にバルブ機構（図示せず）を接続し、このバルブ機構のステム（図示せず）の上端に押釦（３）を取り外し可能に接続固定している。そして、この押釦（３）の外周を被覆するようにエアゾール容器（１）の上端に、合成樹脂製の肩カバー本体（４）を固定する。また、押釦（３）の上部は手指による押圧が可能となるよう、肩カバー本体（４）から上方に突出している。
【００１９】
この肩カバー本体（４）は、エアゾール容器（１）の肩部（５）に下端を接続する肩カバー本体（４）の内周面に、環状の固定枠（６）を突出している。この環状の固定枠（６）は、マウテンカップ（２）の外周に内周部をほぼ一致させる直径にて形成し、下端内方に係合突条（７）を突設している。
【００２０】
そして、この係合突条（７）をエアゾール容器（１）に嵌合固定した状態に於て、マウテンカップ（２）の下端縁に係合固定できるようにしている。また、固定枠（６）は少なくとも一つの肉薄のヒンジ部（８）を形成する。そして、このヒンジ部（８）を形成した部分の固定枠（６）に、ヒンジ部（８）まで、割溝（１０）を形成している。
【００２１】
この割溝（１０）は、ヒンジ部（８）の上下方向と略平行に形成するとともに、外周枠（１１）からヒンジ部（８）まで形成している。また、この割溝（１０）は１０円硬貨等の硬貨の幅よりも若干広い程度に形成し、１０円硬貨若しくは１００円硬貨、５００円硬貨等を挿入可能に形成している。しかし、この割溝（１０）は必ずしも硬貨を挿入する必要はなく、適宜の丈夫な平板、金属板、マイナスドライバー等を挿入し得るものであっても良い。また、この割溝（１０）及びヒンジ部（８）は、固定枠（６）に１個及び複数個形成するものとしても良い。
【００２２】
上述の如く構成したものに於て、エアゾール容器（１）に肩カバー本体（４）を固定する場合には、固定枠（６）をマウンテンカップ（２）の上面に配置した後、肩カバー本体（４）をエアゾール容器（１）方向に強く押圧する事により、肩カバー本体（４）はエアゾール容器（１）にムリバメされ、係合突条（７）がマウンテンカップ（２）の下端縁に係合する。
【００２３】
そのため、肩カバー本体（４）はエアゾール容器（１）から通常の状態に於ては、分離する事なく強固に固定されるものとなる。勿論、このムリバメ時に於て、ヒンジ部（８）が破断される事のないように形成したものでなければならず、ヒンジ部（８）はこのムリバメ程度の伸張変形に於ては、分離する事はないものである。
【００２４】
そして、エアゾール容器（１）の内容物の使用を完了し、エアゾール容器（１）を廃棄する場合には、図１に示す如く、割溝（１０）に１０円硬貨、金属板、ドライバー等適宜の拡開体（１３）を挿入し、これをひねる等の方法により、割溝（１０）を拡開する方向に作動する。この割溝（１０）の拡開方向への拡開体（１３）のひねり作動により、ヒンジ部（８）は切断され、固定枠（６）は環状の一部を切断される。
【００２５】
この切断により、固定枠（６）は拡開が可能となりエアゾール容器（１）のマウンテンカップ（２）から容易に分離する事が可能となる。そのため、エアゾール容器（１）から肩カバー本体（４）を取り外す事が可能となる。
【００２６】
この肩カバー本体（４）の取り外し後、若しくは肩カバー本体（４）の取り外し前に、押釦（３）を取り外す事により、エアゾール容器（１）からは、樹脂材が取り払われ、金属材としての再生使用を樹脂材と分離して可能とする事ができる。
【００２７】
また、構成によってはエアゾール容器（１）のバルブ機構に樹脂材が使用されている場合があるが、この場合はまた適宜の別個の手段により、エアゾール容器（１）からバルブ機構を取り外す事が好ましい場合もある。
【００２８】
また、上記実施例に於ては、肩カバー本体（４）を、エアゾール容器（１）の肩部（５）に下端を接触させる外周枠（１１）を天板（１４）の下面に突出するとともに、外周枠（１１）よりも中央方向の天板（１４）の下面に固定枠（６）を突出して形成した。しかし、他の異なる実施例に於ては、図３、図４に示す如く、肩カバー本体（４）は外周枠（１１）を形成する事なく、固定枠（６）のみを形成する。
【００２９】
この実施例に於ては、エアゾール容器（１）を携帯等に用いる小型の容器とする場合に於て好都合なもので、肩カバー本体（４）に、外周枠（１１）を形成する事なく、固定枠（６）のみを下端に突出して形成している。この場合に於ても、固定枠（６）に形成する割溝（１０）、ヒンジ部（８）等は、上記実施例と何ら変化のないものである。また、本実施例に於ては、肩カバー本体（４）の固定枠（６）の上部方向に環状凹部（１５）を形成し、この環状凹部（１５）にオーバーキャップ（１２）の下端縁を嵌合する事により、押釦（３）の上面をオーバーキャップ（１２）により被覆する。そして、押釦（３）の不用意な押圧を防止するように構成している。
【００３０】
また、他の異なる実施例では、肩カバーに代えてワンタッチキャップをエアゾール容器（１）に用いた場合も、簡易な取り外しを可能としている。このワンタッチキャップ本体（１６）は図５、図６に示す如く、押釦（３）の外周を被覆するとともに上端面（１７）を押釦（３）の上端と面一若しくは押釦（３）よりも上方に突出し、運搬、収納、使用時等に押釦（３）に不用意な圧力が加えられて誤噴射を生じることが無いようにしている。また、ワンタッチキャップ本体（１６）は、手指によっては容易に押釦（３）の押圧が可能となるよう、指の挿入溝（１８）を上端に形成してエアゾール内容物の噴射を迅速確実に行うことができるようにしている。また、ワンタッチキャップ本体（１６）は挿入溝（１８）の反対側に押釦（３）のノズル（２０）に臨ませて、噴射口（２１）を開口している。
【００３１】
【発明の効果】
本発明は上述の如く構成したものであるから、エアゾール容器を廃棄する場合に、エアゾール容器から合成樹脂製のワンタッチキャップや肩カバーを容易に取り外す事ができ、金属材としてのエアゾール容器の再生利用を容易にする事ができる。
【００３２】
また、エアゾール容器の使用途中に於ては、ヒンジ部が固定枠を環状に接続しているため、通常の嵌合状態と同様に強固にエアゾール容器にワンタッチキャップや肩カバーを固定する事ができるから、使用過程に於て不用意にワンタッチキャップや肩カバーが外れたりする虞れがないものである。
【００３３】
【図面の簡単な説明】
【図１】肩カバーを用いた第一実施例を示す断面図である。
【図２】図１の左側面図である。
【図３】肩カバーを用いた第二実施例を示す断面図である。
【図４】図３の左側面図である。
【図５】ワンタッチキャップを用いた実施例を示す断面図である。
【図６】図５の左側面図である。
【符号の説明】
１    エアゾール容器
２    マウンテンカップ
４    肩カバー本体
５    肩部
６    固定枠
８    ヒンジ部
１０    割溝
１１    外周枠
１４    天板
１６    ワンタッチキャップ本体
【図１】
0003563513.tif 000002
【図２】
0003563513.tif 000003
【図３】
0003563513.tif 000004
【図４】
0003563513.tif 000005
【図５】
0003563513.tif 000006
【図６】
0003563513.tif 000007